(57)【要約】【課題】２系統の通信回線の一方を運用系の通信回線に設定し他方を予備系の通信回線に設定して、運用系の通信回線でデータの送受信を行う際に、使用していない予備系の通信回線が正常か否かを確認する。【解決手段】データの通信を中継する２系統の通信中継装置であるＭＣＨ１、２と、そのうち１系統のＭＣＨの中継によりデータの通信を行う通信装置であるＡＭＣ３、４、５と、を有している。各ＡＭＣは、２系統のＭＣＨ１、２のうち一方のＭＣＨをデータの通信を中継に運用する運用系に、他方のＭＣＨを予備系に、与えられる切替制御信号によって切り替えて指定する切替部と、切替部によって指定された予備系のＭＣＨから送信される回線検査信号を予備系のＭＣＨに対して返送する返送部と、返送部における回線検査信号を監視することによって、予備系の通信回線が正常であるか否かを確認するｓＲＩＯと、を備える。【選択図】図１
2012195691.tif 000002
【特許請求の範囲】
【請求項１】
データの通信を中継する２系統の通信中継装置と、
１系統の通信中継装置の中継によりデータの通信を行う通信装置と、を有し、
前記通信装置は、
前記２系統の通信中継装置の一方をデータ通信の中継に運用する運用系に、他方を予備系に、与えられる切替制御信号によって切り替えて指定する切替部と、
前記切替部によって指定された前記予備系の通信中継装置から送信される回線検査信号を前記予備系の通信中継装置に対して返送する返送部と、
前記返送部における前記回線検査信号を監視することによって、前記予備系の通信回線が正常であるか否かを確認する制御部と、を備える、
ことを特徴とする多重化通信システム。
【請求項２】
前記返送部は、前記予備系の通信中継装置から送信される回線検査信号に対して増幅処理及び波形整形処理を施して、前記予備系の通信中継装置に返送する信号処理回路を有し、
前記制御部は、前記信号処理回路から前記予備系の通信中継装置に返送される回線検査信号を監視する信号監視手段を有する、
ことを特徴とする請求項１に記載の多重化通信システム。
【請求項３】
前記信号処理回路は、前記予備系の通信中継装置に返送する回線検査信号に応じて１の状態から他の状態にセットされ、前記制御部からの出力信号によって前記他の状態から前記１の状態にリセットされる双安定マルチバイブレータ回路を有し、
前記信号監視手段は、前記双安定マルチバイブレータ回路の状態を監視する、
ことを特徴とする請求項２に記載の多重化通信システム。
【請求項４】
前記信号処理回路は、前記予備系の通信中継装置に返送する回線検査信号を一定の時間長のパルス信号に変換して前記双安定マルチバイブレータ回路に入力する信号変換回路を、さらに有する、
ことを特徴とする請求項３に記載の多重化通信システム。
【請求項５】
２系統の通信中継装置の一方をデータ通信の中継に運用する運用系に、他方を予備系に、与えられる切替制御信号によって切り替えて指定する切替部と、
前記切替部によって指定された前記予備系の通信中継装置から送信される回線検査信号を前記予備系の通信中継装置に対して返送する返送部と、
前記返送部における前記回線検査信号を監視することによって、前記予備系の通信回線が正常であるか否かを確認する制御部と、を備える、
ことを特徴とする通信装置。
【請求項６】
前記返送部は、前記予備系の通信中継装置から送信される回線検査信号に対して増幅処理及び波形整形処理を施して、前記予備系の通信中継装置に返送する信号処理回路を有し、
前記制御部は、前記信号処理回路から前記予備系の通信中継装置に返送される回線検査信号を監視する信号監視手段を有する、
ことを特徴とする請求項５に記載の通信装置。
【請求項７】
前記信号処理回路は、前記予備系の通信中継装置に返送する回線検査信号に応じて１の状態から他の状態にセットされ、前記制御部からの出力信号によって前記他の状態から前記１の状態にリセットされる双安定マルチバイブレータ回路を有し、
前記信号監視手段は、前記双安定マルチバイブレータ回路の状態を監視する、
ことを特徴とする請求項６に記載の通信装置。
【請求項８】
前記信号処理回路は、前記予備系の通信中継装置に返送する回線検査信号を一定の時間長のパルス信号に変換して前記双安定マルチバイブレータ回路に入力する信号変換回路を、さらに有する、
ことを特徴とする請求項７に記載の通信装置。
【請求項９】
通信装置の切替部が、２系統の通信中継装置の一方をデータ通信の中継に運用する運用系に、他方を予備系に、与えられる切替制御信号によって切り替えて指定し、
前記切替部によって前記予備系に指定された通信中継装置が、回線検査信号を前記通信装置に送信し、
前記通信装置の返送部が、前記予備系の通信中継装置から送信される回線検査信号を前記予備系の通信中継装置に対して返送し、
前記通信装置の制御部が、前記返送部における前記回線検査信号を監視することによって、前記予備系の通信回線が正常であるか否かを確認する、
ことを特徴とする通信制御方法。
【請求項１０】
コンピュータに、
２系統の通信中継装置の一方をデータ通信の中継に運用する運用系に、他方を予備系に、与えられる切替制御信号によって切り替えて指定する第１のステップと、
前記第１のステップによって指定された前記予備系の通信中継装置から送信される回線検査信号を前記予備系の通信中継装置に対して返送する第２のステップと、
前記予備系の通信中継装置に対して返送される前記回線検査信号を監視することによって、前記予備系の通信回線が正常であるか否かを確認する第３のステップと、を実行させる、
ことを特徴とするプログラム。
【発明の詳細な説明】
【技術分野】
【０００１】
本発明は、多重化通信システム、通信装置、通信制御方法及びプログラムに関し、更に詳しくは、２系統の通信回線を運用系及び予備系として切り替えながら通信を行う多重化通信システム、通信装置、通信制御方法及びプログラムに関する。
【背景技術】
【０００２】
任意の通信装置と他の通信装置との間を通信回線で接続してデータの送受信を行う場合に、その通信回線に障害が発生したときにはデータの送受信ができない。このため、２系統の通信回線を設けてデータの送受信を行う多重化通信システムが知られている。このような多重化通信システムにおいては、いずれか１系統の通信回線によってデータの送受信を行い、その通信回線に障害が発生したときには、他の１系統の通信回線に切り替えてデータの送受信を継続する。
【０００３】
図５は、２系統の通信回線を用いた関連技術における一般的な通信装置であるＡＭＣ（Advanced Mezzanine Card）の構成を示す概略ブロック図である。なお、ＡＭＣは、ＰＣＩ（Peripheral Component Interconnect）に基づく産業用組込ボードや関連製品の利用を促進するために設立された業界団体であるＰＩＣＭＧ（PCI Industrial Computer Manufacturers Group）によって開発された遠隔通信システム用の差込モジュールである。
【０００４】
図５において、ＡＭＣ規格の通信装置（以下、「ＡＭＣ」という）１００は、２系統の通信回線にそれぞれ接続される２系統のｓＲＩＯ（serial Rapid IO）１０２、１０３及びＡＭＣ１００全体を制御するＣＰＵ（Central Processing Unit）１０１を備えている。ＣＰＵ１０１は、例えばｓＲＩＯ１０２を用いて一方の通信回線を運用系に指定して、下り信号ｄ１及び上り信号ｕ１のデータ通信を行い、ｓＲＩＯ１０３に接続された通信回線を予備系に指定する。ＣＰＵ１０１は、運用系の通信回線に障害が発生したときは、ｓＲＩＯ１０２からｓＲＩＯ１０３に切り替えて、予備系の通信回線によって、下り信号ｄ２及び上り信号ｕ２のデータ通信を続行する。
【０００５】
しかしながら、同一の仕様の２つのｓＲＩＯ１０２、１０３を用いることは、導入費や保守費等のコストアップを招き、小型軽量化を図ることもできない。このため、近年、単一のｓＲＩＯと切替スイッチとを用いて運用系と予備系とを切り替える構成が開発された。
【０００６】
図６は、関連技術における一般的な切替方式の通信装置であるＡＭＣ２００の構成を示す概略ブロック図である。ＡＭＣ２００は、２系統の通信回線に接続された切替部２０３、共通のｓＲＩＯ２０２、及びＣＰＵ２０１を備えている。
【０００７】
図６においては、切替部２０３のポートＣｄ、Ｃｕは、実線で示すように、それぞれポートＡ１、Ｂ１に接続されている。したがって、運用系の通信回路から受信した下り信号ｄ１は、ポートＡ１及びポートＣｄを経て、ｓＲＩＯ２０２に入力される。ｓＲＩＯ２０２からの上り信号ｕ１は、ポートＣｕ及びポートＢ１を経て、運用系の通信回路に送信される。
【０００８】
ｓＲＩＯ２０２は、下り信号ｄ１及び上り信号ｕ１のデータ通信を行っていた運用系の通信回線に障害が発生したときは、切替部２０３によって予備系の通信回線に切り替えて、下り信号ｄ２及び上り信号ｕ２のデータ通信を続行する。
【０００９】
すなわち、切替部２０３のポートＣｄ、Ｃｕは、点線で示すように、それぞれポートＡ２、Ｂ２に切り替わる。この後は、予備系から運用系に代わった通信回路から受信した下り信号ｄ２は、ポートＡ２及びポートＣｄを経て、下り信号ｄ１としてｓＲＩＯ２０２に入力される。ｓＲＩＯ２０２からの上り信号ｕ１は、ポートＣｕ及びポートＢ２を経て、上り信号ｕ２として新たな運用系の通信回路に送信される。
【００１０】
しかしながら、図６に示した一般的な切替方式のＡＭＣ２００を用いたシステムの場合には、予備系の通信回線がＡＭＣ２００と切り離されるので、運用系の通信回線を使用している間は、予備系の通信回線が正常であるかどうかを確認することができない。このため、運用系におけるデータ通信を中断して予備系に接続を切り替えて通信回線が正常であるかどうかを確認しなければならない。
【００１１】
下記の特許文献１には、切替スイッチを用いて運用系と予備系とを切り替える多重化ハブが開示されている。特許文献１の多重化ハブにおいては、２系統のハブ間をケーブルで接続した相互監視を行っている。一方のハブから他方のハブに信号を送信し、応答信号を送信しないハブを待機系に設定する。待機系のハブはスイッチによって電気信号の送出が停止される。
【先行技術文献】
【特許文献】
【００１２】
【特許文献１】特開２００４−５６６９３号公報
【発明の概要】
【発明が解決しようとする課題】
【００１３】
しかしながら、特許文献１に記載の多重化ハブにおいても、予備系のハブからの電気信号の送出を停止するので、図６に示したＡＭＣ２００の場合と同様、予備系の通信回線が正常であるか否かを確認することができない。このため、運用系の通信回線に障害が発生したときに、予備系の通信回路に切り替えても、正常なデータ通信を続行できるという保証が得られないという問題がある。
【００１４】
本発明は、上記事情に鑑みてなされたものであり、２系統の通信回線の一方を運用系の通信回線に設定し他方を予備系の通信回線に設定して、運用系の通信回線でデータの送受信を行う際に、使用していない予備系の通信回線が正常か否かを確認することが可能な多重化通信システム、通信装置、通信制御方法及びプログラムを提供することを目的とする。
【課題を解決するための手段】
【００１５】
上述の目的を達成するために、本発明の多重化通信システムは、
データの通信を中継する２系統の通信中継装置と、
１系統の通信中継装置の中継によりデータの通信を行う通信装置と、を有し、
前記通信装置は、
前記２系統の通信中継装置の一方をデータ通信の中継に運用する運用系に、他方を予備系に、与えられる切替制御信号によって切り替えて指定する切替部と、
前記切替部によって指定された前記予備系の通信中継装置から送信される回線検査信号を前記予備系の通信中継装置に対して返送する返送部と、
前記返送部における前記回線検査信号を監視することによって、前記予備系の通信回線が正常であるか否かを確認する制御部と、を備える、
ことを特徴とする。
【００１６】
また、上述の目的を達成するために、本発明の通信装置は、
２系統の通信中継装置の一方をデータ通信の中継に運用する運用系に、他方を予備系に、与えられる切替制御信号によって切り替えて指定する切替部と、
前記切替部によって指定された前記予備系の通信中継装置から送信される回線検査信号を前記予備系の通信中継装置に対して返送する返送部と、
前記返送部における前記回線検査信号を監視することによって、前記予備系の通信回線が正常であるか否かを確認する制御部と、を備える、
ことを特徴とする。
【００１７】
また、上述の目的を達成するために、本発明の通信制御方法は、
通信装置の切替部が、２系統の通信中継装置の一方をデータ通信の中継に運用する運用系に、他方を予備系に、与えられる切替制御信号によって切り替えて指定し、
前記切替部によって前記予備系に指定された通信中継装置が、回線検査信号を前記通信装置に送信し、
前記通信装置の返送部が、前記予備系の通信中継装置から送信される回線検査信号を前記予備系の通信中継装置に対して返送し、
前記通信装置の制御部が、前記返送部における前記回線検査信号を監視することによって、前記予備系の通信回線が正常であるか否かを確認する、
ことを特徴とする。
【００１８】
また、上述の目的を達成するために、本発明のプログラムは、コンピュータに、
２系統の通信中継装置の一方をデータ通信の中継に運用する運用系に、他方を予備系に、与えられる切替制御信号によって切り替えて指定する第１のステップと、
前記第１のステップによって指定された前記予備系の通信中継装置から送信される回線検査信号を前記予備系の通信中継装置に対して返送する第２のステップと、
前記予備系の通信中継装置に対して返送される前記回線検査信号を監視することによって、前記予備系の通信回線が正常であるか否かを確認する第３のステップと、を実行させる、
ことを特徴とする。
【発明の効果】
【００１９】
本発明によれば、２系統の通信回線の一方を運用系の通信回線に設定し他方を予備系の通信回線に設定して、運用系の通信回線でデータの送受信を行う際に、使用していない予備系の通信回線が正常か否かを確認することが可能になる。
【図面の簡単な説明】
【００２０】
【図１】本発明の実施形態における多重化通信システムの概要を示す図である。
【図２】図１の多重化通信システムに用いる通信装置の構成を示す概略ブロック図である。
【図３】図２の切替部の内部構成を示すブロック図である。
【図４】図３の返送部における信号処理回路のブロック図である。
【図５】２系統の通信回線を用いた関連技術における一般的な通信装置の構成を示す概略ブロック図である。
【図６】関連技術における一般的な切替方式の通信装置の構成を示す概略ブロック図である。
【発明を実施するための形態】
【００２１】
以下、本発明の実施形態に係る多重化通信システム及びそのシステムに用いる通信装置について、図１乃至図４を参照して説明する。
【００２２】
図１は、本発明の実施形態における多重化通信システム（デュアルファブリックシステム）の概要を示す図である。図１において、２つのＭＣＨ（MicroTCA Carrier Card）１、２は、それぞれ通信回線を介してデータ通信を中継する２系統の通信中継装置すなわち通信ハブである。また、３つのＡＭＣ３乃至５は、ＭＣＨ１又はＭＣＨ２を介して互いにデータ通信を行う差込モジュールタイプの通信装置である。ＭＣＨ１、２は、それぞれ各ＡＭＣ３、４、５と独立して接続される。
【００２３】
２系統のＭＣＨ１、２は、その一方が運用系の通信中継装置として指定され、他方は予備系の通信中継装置として指定される。いま、ＭＣＨ１を運用系に指定し、ＭＣＨ２を予備系に指定したとする。この場合には、ＡＭＣ３乃至５は、ＭＣＨ１を経由することにより、ピアツーピアの通信が可能である。ＭＣＨ１に障害が発生したときは、各ＡＭＣは、ＭＣＨ２に切り替えて通信を継続する。
【００２４】
図２は、図１の多重化通信システムに用いる通信装置であるＡＭＣ３の構成を示す概略ブロック図である。図２に示すように、ＡＭＣ３は、ＣＰＵ６、ｓＲＩＯ７、及び切替部８を備えている。ＡＭＣ４、５もＡＭＣ３と同じである。
【００２５】
ＣＰＵ６は、図には示していないが、プログラムメモリであるＲＯＭ（Read Only Memory）、ワークメモリであるＲＡＭ（Random Access Memory）等を有するコンピュータである。ＣＰＵ６は、ＲＯＭに記憶されているプログラムを実行して、下り信号ｄ１及び上り信号ｕ１のデータ通信を制御する。
【００２６】
ｓＲＩＯ７は、Serial Rapid IO規格の通信方式を用いてＣＰＵ６から送信するデータを変換するSerDes（Serializer/Deserializer）の機能を有する。また、ｓＲＩＯ７は、運用系に指定されたＭＨＣ１と通信するためのPhysical Layer（物理層）及びTransport & Logical Layer（トランスポート及びロジカル層）の回路を構成する。また、ｓＲＩＯ７は、運用系のＭＨＣ１及び予備系のＭＨＣ２向けの切替部８のポートの接続を切り替える。また、ｓＲＩＯ７は、ＣＰＵ６と接続されない予備系のＭＣＨ２から受信したデータを切替部８からその予備系のＭＣＨ２に返送させる機能を有する。
【００２７】
なお、Serial Rapid IO規格の通信方式の代わりに、PCI（Peripheral Component Interconnect） Express又はEthernet（登録商標）の規格を用いた通信方式であってもよい。
【００２８】
切替部８は、運用系のＭＣＨ１から下り信号ｄ１を受信するポートＡ１、運用系のＭＣＨ１に上り信号ｕ１を送信するポートＢ１を有する。また、切替部８は、予備系のＭＣＨ２から下り信号ｄ２を受信するポートＡ２、予備系のＭＣＨ２に上り信号ｕ２を送信するポートＢ２を有する。また、切替部８は、運用系のＭＣＨ１から受信した下り信号ｄ１をｓＲＩＯ７に送るポートＣｄ、運用系のＭＣＨ１に送信する上り信号ｕ１をｓＲＩＯ７から受けるポートＣｕを有する。
【００２９】
また、切替部８は、予備系のＭＣＨ２からポートＡ２に受信した下り信号ｄ２をポートＢ２に入力して、予備系のＭＣＨ２に上り信号ｕ２として折り返し返送するために、ポートＡ２とポートＢ２とを適宜接続する接続回路（図２においては実線の接続線）を有する。しかし、現在運用系のポートＡ１とポートＢ１とは、接続回路（図２では点線の接続線）は接続されていない。
【００３０】
切替部８において、ポートＣｄ、Ｃｕは、図２において実線で示すように、それぞれ運用系の通信回線に接続されたポートＡ１、Ｂ１に接続されている。ポートＣｄ、Ｃｕは、運用系の通信回線に障害が発生したときに、図２において点線で示すように、予備系の通信回線に接続されたポートＡ２、Ｂ２に切り替えて接続される。また、運用系の通信回線に障害が発生したときには、ポートＡ１とポートＢ１とは、図２において点線で示すように、接続される。
【００３１】
ＣＰＵ６及びｓＲＩＯ７は協働して、運用系の通信回線によるデータ通信の制御、運用系の通信回線と予備系の通信回線との切替制御、予備系の通信回線の状態の監視制御を行う制御部を構成する。なお、ＡＭＣ３、４、５から見た通信回線は、伝送路及びＭＣＨ１、２を含むものとする。同様に、ＭＣＨ１、２から見た通信回線は、伝送路及びＡＭＣ３、４、５を含むものとする。
【００３２】
図３は、図２の切替部８の内部構成を示すブロック図である。図３における符号で図２の符号と同じものは、同一の構成を示している。ただし、ポートＡ１、Ｂ１、Ａ２、及びＢ２は、それぞれ通信回線に直接接続された端子ｔ０、運用系の端子ｔ１、及び予備系の端子ｔ２を有する切替スイッチを構成する。
【００３３】
図３に示すように、運用系のポートＡ１、Ｂ１においては、端子ｔ０が端子ｔ１に接続されている。一方、予備系のポートＡ２、Ｂ２においては、端子ｔ０が端子ｔ２に接続されている。そして、運用系の通信回線に障害が発生したときは、ｓＲＩＯ７からの切替制御信号exによって、各ポートＡ１、Ｂ１、Ａ２、及びＢ２の接続が切り替わる。
【００３４】
さらに、図３において、運用系のポートＡ１の端子ｔ２とポートＢ１の端子ｔ２とが返送部９を介して接続されている。同様に、予備系のポートＡ２の端子ｔ２とポートＢ２の端子ｔ２とが返送部９を介して接続されている。
【００３５】
運用系の返送部９は、現在、ポートＡ１の端子ｔ０とポートＢ１の端子ｔ０とを接続していない。運用系の返送部９は、運用系から予備系に切り替わったときに、ポートＡ１の端子ｔ０とポートＢ１の端子ｔ０とを接続する。これに対し、予備系の返送部９は、ポートＡ２の端子ｔ０とポートＢ２の端子ｔ０とを現在接続している。予備系の返送部９は、予備系のＭＣＨ２から送信されるデータを同じ予備系のＭＣＨ２に折り返し返送する回路であるので、図２に示したように、単純な接続線の構成でもよい。あるいは、返送部９は、増幅回路又は波形整形回路を有する信号処理回路の構成でもよい。あるいはまた、返送部９は、増幅回路及び波形整形回路の両方を有する信号処理回路の構成でもよい。
【００３６】
本実施形態においては、各返送部９は、ｓＲＩＯ７によって制御される信号処理回路を構成する。ただし、ｓＲＩＯ７及びＣＰＵ６からなる制御部は、運用系の通信回線及びＭＣＨを介して、他の通信装置との間でデータ通信を行っているので、通常の処理ルーチンの中では返送部９を制御することは困難であると考えられる。また、予備系の通信回線の監視は、頻繁に行う必要もないと考えられる。
【００３７】
したがって、予備系の通信回線の監視は、通常の処理ルーチンから臨時的な処理ルーチンに遷移して行うことが望ましい。本実施形態においては、タイマ割込の割込処理によって予備系の通信回線の監視を行う。ただし、タイマ割込以外の他の割込処理や、割込処理以外の臨時的な処理ルーチンによって、予備系の通信回線の監視を行うようにしてもよい。
【００３８】
図３において、ｓＲＩＯ７の入力ポートip1及びip2、出力ポートop1及びop2は、それぞれに対応する返送部９に接続されている。また、ｓＲＩＯ７の出力ポートexは、切替部８に接続されて、切替部８のポートＡ１、Ｂ１、Ａ２、及びＢ２を構成する切替スイッチに切替制御信号exを与える。
【００３９】
図４は、図３の予備系の返送部９における信号処理回路を示すブロック図である。図４において、増幅回路９１は、ポートＡ２から入力される予備系のＭＣＨ２からの下り信号ｄ２を増幅して出力する。すなわち、増幅回路９１は、予備系の通信回線によって減衰した下り信号ｄ２を増幅する。
【００４０】
この下り信号ｄ２は、通常の通信用の符号化されたデータでもよいが、予備系の通信回線を検査するという意味から、ここでは、符号化された「回線検査信号」という表現とする。通常、予備系のＭＣＨ２は、自身が予備系に指定されていることが分かっているので、予備系の通信回線の検査に最適な回線検査信号を送信する。
【００４１】
整形回路９２は、増幅された回線検査信号の波形を整形して、上り信号ｕ２として予備系のＭＣＨ２に折り返し返送する。すなわち、整形回路９２は、予備系の通信回線の誘導成分及び容量成分によって変形した回線検査信号を整形して返送する。
【００４２】
復号回路９３は、整形回路９２から出力された符号化された回線検査信号を復号化して、単一のパルス信号として出力する。なお、回線検査信号の符号化及びその復号化については、多くの手法が考えられるが、本発明には直接関係しないので説明は割愛する。
【００４３】
セット・リセット回路（ＳＲ回路）９４は、例えば、双安定バイブレータ回路（又は、フリップフロップ回路）で構成されている。ＳＲ回路９４は、端子Ｓに入力されるパルス信号のセット信号によって、端子Ｑがローレベルからハイレベルに変化する。また、ＳＲ回路９４は、端子Ｒに入力されるパルス信号のリセット信号によって、端子Ｑがハイレベルからローレベルに変化する。
【００４４】
図３に示したように、予備系の返送部９は、ｓＲＩＯ７の入力ポートip2及び出力ポートop2に接続されている。すなわち、図４において、ＳＲ回路９４の端子Ｑは、ｓＲＩＯ７の入力ポートip2に接続され、ＳＲ回路９４の端子ＲはｓＲＩＯ７の出力ポートop2に接続されている。ｓＲＩＯ７は、タイマ割込によって、一定時間ごとにＳＲ回路９４の端子Ｑのレベルを入力ポートip2で監視して、端子Ｑがハイレベルのときは、出力ポートop2からＳＲ回路９４の端子Ｒにリセット信号を与える。
【００４５】
すなわち、ｓＲＩＯ７は、一定時間ごとの割込によって、ＳＲ回路９４の端子Ｑがハイレベルであることを検出することで、予備系の通信回線が正常であることを確認することができる。したがって、運用系の通信回線に障害が発生したときは、ｓＲＩＯ７は、切替部８に切替制御信号exを与えて、正常に機能している予備系の通信回線を運用系に切り替えることができる。
【００４６】
一方、一定時間ごとの割込によって、ＳＲ回路９４の端子Ｑがローレベルの状態を１回又は何回か検出したときは、予備系の通信回線に障害が発生したことを認識できるので、例えば、通信回線の保守・修理を行っている管理センター等にその旨を通知する。
【００４７】
以上のように、上記実施形態によれば、多重化通信システムは、データの通信を中継する２系統の通信中継装置であるＭＣＨ１、２と、そのうち１系統のＭＣＨの中継によりデータの通信を行う通信装置であるＡＭＣ３、４、５と、を有している。各ＡＭＣは、２系統のＭＣＨ１、２の一方のＭＣＨをデータの通信を中継に運用する運用系に、他方のＭＣＨを予備系に、与えられる切替制御信号exによって切り替えて指定する切替部８と、切替部８によって指定された予備系のＭＣＨから送信される回線検査信号を予備系のＭＣＨに対して返送する返送部９と、返送部９における回線検査信号を監視することによって、予備系の通信回線が正常であるか否かを確認するｓＲＩＯ７と、を備える。
【００４８】
したがって、２系統の通信回線の一方を運用系の通信回線に設定し他方を予備系の通信回線に設定して、運用系の通信回線でデータの送受信を行う際に、使用していない予備系の通信回線が正常か否かを確認することが可能になる。
【００４９】
また、上記実施形態によれば、返送部９は、予備系のＭＣＨから送信される回線検査信号に対して増幅処理及び波形整形処理を施して、予備系のＭＣＨに返送する信号処理回路として、増幅回路９１及び整形回路８２を有する。また、ＡＭＣは、その信号処理回路から予備系のＭＣＨに返送される回線検査信号を監視する信号監視手段として入力ポートip1、ip2を有する。
【００５０】
したがって、ＡＭＣは、臨時的なタイマ割込等の割込処理によって入力ポートip1、ip2を監視して、予備系の通信回線が正常であるか否かを確認することができるので、他のＡＭＣとの間の通常的なデータ通信に支障を及ぼすことがない。
【００５１】
さらに、上記実施形態によれば、返送部９の信号処理回路は、予備系のＭＣＨに返送する回線検査信号に応じて１の状態（ローレベルの端子Ｑ）から他の状態（ハイレベルの端子Ｑ）にセットされ、ｓＲＩＯ７からの出力信号（リセット信号）によって他の状態から１の状態にリセットされる双安定マルチバイブレータ回路（ＳＲ回路９４）を有する。ｓＲＩＯ７の信号監視手段（入力ポートip1、ip2）は、双安定マルチバイブレータ回路の状態を監視する。
【００５２】
したがって、極めて簡単な信号処理回路及び信号監視手段によって、予備系の通信回線が正常であるか否かを確認することができるので、開発コスト及び製品コストの低減、及び、システムの小型化・軽量化を図ることができる。
【００５３】
さらにまた、上記実施形態によれば、返送部９の信号処理回路は、予備系のＭＣＨに返送する回線検査信号を一定の時間長のパルス信号に変換して、双安定マルチバイブレータ回路（ＳＲ回路９４）に入力する信号変換回路（復号回路９３）を有する。
【００５４】
したがって、回線検査信号の信号フォーマットを分析することなく、予備系の通信回線が正常であるか否かを迅速に確認することができるので、ｓＲＩＯ７は、予備系の通信回線の確認のための負担が軽くなる。
【００５５】
上記の実施形態の一部または全部は、以下の付記のようにも記載されうるが、以下には限られない。
【００５６】
（付記１）
データの通信を中継する２系統の通信中継装置と、
１系統の通信中継装置の中継によりデータの通信を行う通信装置と、を有し、
前記通信装置は、
前記２系統の通信中継装置の一方をデータ通信の中継に運用する運用系に、他方を予備系に、与えられる切替制御信号によって切り替えて指定する切替部と、
前記切替部によって指定された前記予備系の通信中継装置から送信される回線検査信号を前記予備系の通信中継装置に対して返送する返送部と、
前記返送部における前記回線検査信号を監視することによって、前記予備系の通信回線が正常であるか否かを確認する制御部と、を備える、
ことを特徴とする多重化通信システム。
【００５７】
（付記２）
前記返送部は、前記予備系の通信中継装置から送信される回線検査信号に対して増幅処理及び波形整形処理を施して、前記予備系の通信中継装置に返送する信号処理回路を有し、
前記制御部は、前記信号処理回路から前記予備系の通信中継装置に返送される回線検査信号を監視する信号監視手段を有する、
ことを特徴とする付記１に記載の多重化通信システム。
【００５８】
（付記３）
前記信号処理回路は、前記予備系の通信中継装置に返送する回線検査信号に応じて１の状態から他の状態にセットされ、前記制御部からの出力信号によって前記他の状態から前記１の状態にリセットされる双安定マルチバイブレータ回路を有し、
前記信号監視手段は、前記双安定マルチバイブレータ回路の状態を監視する、
ことを特徴とする付記２に記載の多重化通信システム。
【００５９】
（付記４）
前記信号処理回路は、前記予備系の通信中継装置に返送する回線検査信号を一定の時間長のパルス信号に変換して前記双安定マルチバイブレータ回路に入力する信号変換回路を、さらに有する、
ことを特徴とする付記３に記載の多重化通信システム。
【００６０】
（付記５）
２系統の通信中継装置の一方をデータ通信の中継に運用する運用系に、他方を予備系に、与えられる切替制御信号によって切り替えて指定する切替部と、
前記切替部によって指定された前記予備系の通信中継装置から送信される回線検査信号を前記予備系の通信中継装置に対して返送する返送部と、
前記返送部における前記回線検査信号を監視することによって、前記予備系の通信回線が正常であるか否かを確認する制御部と、を備える、
ことを特徴とする通信装置。
【００６１】
（付記６）
前記返送部は、前記予備系の通信中継装置から送信される回線検査信号に対して増幅処理及び波形整形処理を施して、前記予備系の通信中継装置に返送する信号処理回路を有し、
前記制御部は、前記信号処理回路から前記予備系の通信中継装置に返送される回線検査信号を監視する信号監視手段を有する、
ことを特徴とする付記５に記載の通信装置。
【００６２】
（付記７）
前記信号処理回路は、前記予備系の通信中継装置に返送する回線検査信号に応じて１の状態から他の状態にセットされ、前記制御部からの出力信号によって前記他の状態から前記１の状態にリセットされる双安定マルチバイブレータ回路を有し、
前記信号監視手段は、前記双安定マルチバイブレータ回路の状態を監視する、
ことを特徴とする付記６に記載の通信装置。
【００６３】
（付記８）
前記信号処理回路は、前記予備系の通信中継装置に返送する回線検査信号を一定の時間長のパルス信号に変換して前記双安定マルチバイブレータ回路に入力する信号変換回路を、さらに有する、
ことを特徴とする付記７に記載の通信装置。
【００６４】
（付記９）
通信装置の切替部が、２系統の通信中継装置の一方をデータ通信の中継に運用する運用系に、他方を予備系に、与えられる切替制御信号によって切り替えて指定し、
前記切替部によって前記予備系に指定された通信中継装置が、回線検査信号を前記通信装置に送信し、
前記通信装置の返送部が、前記予備系の通信中継装置から送信される回線検査信号を前記予備系の通信中継装置に対して返送し、
前記通信装置の制御部が、前記返送部における前記回線検査信号を監視することによって、前記予備系の通信回線が正常であるか否かを確認する、
ことを特徴とする通信制御方法。
【００６５】
（付記１０）
コンピュータに、
２系統の通信中継装置の一方をデータ通信の中継に運用する運用系に、他方を予備系に、与えられる切替制御信号によって切り替えて指定する第１のステップと、
前記第１のステップによって指定された前記予備系の通信中継装置から送信される回線検査信号を前記予備系の通信中継装置に対して返送する第２のステップと、
前記予備系の通信中継装置に対して返送される前記回線検査信号を監視することによって、前記予備系の通信回線が正常であるか否かを確認する第３のステップと、を実行させる、
ことを特徴とするプログラム。
【産業上の利用可能性】
【００６６】
本発明の多重化通信システム、通信装置、通信制御方法及びプログラムは、２系統の通信回線を運用系及び予備系に設定して、障害の発生に備えて適宜切り替えて使用するのに適している。
【符号の説明】
【００６７】
１、２        ＭＣＨ（通信中継装置）
３、４、５    ＡＭＣ（通信装置）
６            ＣＰＵ
７            ｓＲＩＯ
８            切替部
９            返送部
９１          増幅回路
９２          整形回路
９３          復号回路
９４          ＳＲ回路
【図１】
2012195691.tif 000003
【図２】
2012195691.tif 000004
【図３】
2012195691.tif 000005
【図４】
2012195691.tif 000006
【図５】
2012195691.tif 000007
【図６】
2012195691.tif 000008